(57)【要約】【課題】  ペットが排泄する尿などを吸収するシートであって、表面に液が残りにくく、表面シートに与えられた尿などを速やかに吸収できるペット用排泄物吸収シートを提供することを目的としている。【解決手段】  吸収体１２の表面に親水紙２４が設けられ、この親水紙２４と表面シート１３とが接着されている。表面シート１３は多数の液透過孔を有する樹脂フィルムであり、表面シート１３と親水紙２４とがスパイラル線または波線パターンで塗工されたホットメルト型接着剤で接着されている。よって、表面シート１３と親水紙２４とが密着を維持でき、表面シート１３の液透過孔を通過した液が親水紙２４で直ちに吸収されて拡散され吸収体１２で吸収される。【選択図】図２
2006238744.tif 000002
【特許請求の範囲】
【請求項１】
液不透過性の裏面シートと、液透過性の表面シートと、前記裏面シートと表面シートとの間に位置する吸収体とが設けられたペット用排泄物吸収シートにおいて、
表面シートは、多数の液透過孔が形成された樹脂フィルムであり、前記表面シートと吸収体とがホットメルト型接着剤を介して接着されており、
前記ホットメルト型接着剤は、複数本の連続線で塗布され、前記連続線が曲線を含むことを特徴とするペット用排泄物吸収シート。
【請求項２】
前記連続線は、スパイラル線または波線である請求項１記載のペット用排泄物吸収シート。
【請求項３】
曲線で囲まれている部分の面積の平均値が、液透過孔の開孔面積の平均値よりも大きい請求項１または２記載のペット用排泄物吸収シート。
【請求項４】
曲線で囲まれている部分の面積が、２〜１００ｍｍ２の範囲である請求項３記載のペット用排泄物吸収シート。
【請求項５】
隣り合う連続線の間に隙間が形成されており、この隙間の幅寸法が１０ｍｍ以下である請求項１ないし４のいずれかに記載のペット用排泄物吸収シート。
【請求項６】
前記ホットメルト型接着剤の線が連続する方向をＸ方向、これと直交する方向をＹ方向とし、液透過孔のＸ方向のピッチをＰｘ、Ｙ方向のピッチをＰｙとしたときに、曲線で囲まれる部分のＸ方向のピッチが前記Ｐｘよりも大きく、前記部分のＹ方向のピッチが前記Ｐｙよりも大きい請求項１ないし５のいずれかに記載のペット用排泄物吸収シート。
【請求項７】
線の太さが、表面シートの前記液透過孔の開口幅よりも細い請求項１ないし６のいずれかに記載のペット用排泄物吸収シート。
【請求項８】
前記吸収体の表面に、液を拡散させる親水シートが設けられ、この親水シートと表面シートとがホットメルト型接着剤を介して接着固定されている請求項１ないし７のいずれかに記載のペット用排泄物吸収シート。
【請求項９】
前記親水シートを空間中に水平に配置し、上方５０ｍｍの位置から０．１ｃｃの生理食塩水を滴下したときに、滴下後３０秒後の、生理用食塩水の拡散幅が３０ｍｍ以上である請求項８記載のペット用排泄物吸収シート。
【発明の詳細な説明】
【技術分野】
【０００１】
本発明は、床面に敷設し、または容器型のペット用トイレットの底面に敷設するなどして使用されるペット用排泄物吸収シートに関する。
【背景技術】
【０００２】
ペット用排泄物吸収シートは、床面などに対向する裏面側に液不透過性の裏面シートが設けられ、ペットが乗る表面側に液透過性の表面シートが設けられ、裏面シートと表面シートとの間に液吸収材層が介在している構造が一般的である。
【０００３】
以下の特許文献１に記載のペット用マットは、不織布の上に防水フィルムが重ねられた裏面シートが設けられ、この裏面シートの上に吸収体が設置されている。この吸収体は、パルプ層の上に吸水ポリマーが重ねられキャリアティッシュで包まれたものである。
【０００４】
吸収体の表面を覆う表面シートは不織布であり、この不織布と吸収体との間にシート状のホットメルトを介在させ、前記シート状のホットメルトを溶解させることにより、前記不織布と吸収体とを固定している。
【特許文献１】特開２００４−１８７５９７号公報
【発明の開示】
【発明が解決しようとする課題】
【０００５】
特許文献１に記載のペット用マットは、表面シートが不織布であるため、その上に乗ったペットの爪が不織布の繊維に引っ掛かるなどして、ペットの動きによって位置ずれしやすいなどの問題がある。また、ペットが排泄した尿が不織布に吸収され表面シートが濡れた状態となりやすいため好ましくない。
【０００６】
この種のペット用マットでは、表面シートに与えられた液を吸収体に速やかに移行させるために、表面シートと吸収体とが接着されて表面シートと吸収体とが密着していることが好ましい。そのため特許文献１に記載のものは、表面シートと吸収体とをホットメルトで接着固定しているが、シート状のホットメルトを溶解させて使用しているため、表面シートと吸収体との間の液の通過がホットメルトで阻害されやすく、尿などが表面シートに残りやすい欠点がある。
【０００７】
また、表面シートと吸収体とを接着するためのホットメルト型接着剤を、表面シートまたは吸収体に噴霧して塗布することも考えられる。この場合、硬化した接着剤がファイバー状となって、液透過孔が開孔する部分に多く存在することになるため、液透過孔を通過した尿などが吸収体に速やかに移行しにくくなる。
【０００８】
本発明は上記従来の課題を解決するものであり、表面シートの表面に液が残りにくく、しかも表面シートから吸収体に向けて尿などが速やかに透過しやすいペット用排泄物吸収シートを提供することを目的としている。
【課題を解決するための手段】
【０００９】
本発明は、液不透過性の裏面シートと、液透過性の表面シートと、前記裏面シートと表面シートとの間に位置する吸収体とが設けられたペット用排泄物吸収シートにおいて、
表面シートは、多数の液透過孔が形成された樹脂フィルムであり、前記表面シートと吸収体とがホットメルト型接着剤を介して接着されており、
前記ホットメルト型接着剤は、複数本の連続線で塗布され、前記連続線が曲線を含むことを特徴とするものである。
【００１０】
上記ペット用排泄物吸収シートは、表面シートが多数の液透過孔を有する樹脂フィルムであるため、尿等で濡れにくく、ペットに不快感を与えにくい。また、表面シートと吸収体とが接着されて密着しているため、表面シートに与えられた尿などは、液透過孔を通過して速やかに吸収体に移行して吸収される。さらに、ホットメル型接着剤が曲線を有する連続線で形成されているため、従来のようなフィルムから溶解された接着剤やファイバー状に硬化する接着剤に比べて、液透過孔が接着剤で塞がれる確率を低くでき、表面シートに与えられた尿などが吸収体に速やかに吸収されるようになる。
また、前記連続線は、スパイラル線または波線であることが好ましい。
【００１１】
本発明は、好ましくは曲線で囲まれている部分の面積の平均値が、液透過孔の開孔面積の平均値よりも大きいことが好ましく、例えば、曲線で囲まれている部分の面積が、２〜１００ｍｍ２の範囲である。
【００１２】
曲線で囲まれている部分の面積が前記範囲内であると、全ての液透過孔の下にホットメルト型接着剤の曲線が存在することがなく、下に連続線が位置していない液透過孔を残しやすくなる。よって、表面シートの液透過孔を通過した液が吸収体に速やかに吸収されて、表面シートの表面に液が残りにくくなる。また、曲線を有する連続線で接着されていると、表面シートと吸収体とを密着させて接着しやすくなる。
【００１３】
また、本発明では、ホットメルト型接着剤の異なる線で描かれたスパイラル線または波線が互いに交叉してもよいし、隣り合う線の間に隙間が形成されている場合には、この隙間の幅寸法が１０ｍｍ以下であることが好ましい。前記隙間が１０ｍｍ以下であれば、表面シートと吸収体との密着性を維持しやすい。
【００１４】
さらに本発明は、前記ホットメルト型接着剤の線が連続する方向をＸ方向、これと直交する方向をＹ方向とし、液透過孔のＸ方向のピッチをＰｘ、Ｙ方向のピッチをＰｙとしたときに、曲線で囲まれる部分のＸ方向のピッチが前記Ｐｘよりも大きく、前記部分のＹ方向のピッチが前記Ｐｙよりも大きいことが好ましい。
【００１５】
上記構成では、ホットメルト型接着剤の連続線が全ての液透過孔の開孔部に位置することがなく、連続線がその下に位置しない液透過孔が比較的多く存在できるようになり、表面シートから吸収体に液が移行しやすくなる。
【００１６】
さらに本発明は、線の太さが、表面シートの前記液透過孔の開口幅よりも細いことが好ましい。
【００１７】
この場合、液透過孔の下をホットメルト型接着剤の連続線が通過していても、連続線が液透過孔を完全に覆うことがないため、この液透過孔を液が通過できるようになる。
【００１８】
さらに、本発明は、前記吸収体の表面に、液を拡散させる親水シートが設けられ、この親水シートと表面シートとがホットメルト型接着剤を介して接着固定されていることが好ましい。
【００１９】
表面シートに液拡散機能を有する親水シートが接着されていると、表面シートの液透過孔を通過した液が、親水シートで直ちに拡散されるため、表面シートの表面や液透過孔内に液が残りにくくなる。
【００２０】
上記において、前記親水シートを空間中に水平に配置し、上方５０ｍｍの位置から０．１ｃｃの生理食塩水を滴下したときに、滴下後３０秒後の、生理用食塩水の拡散幅が３０ｍｍ以上であることが好ましい。
【発明の効果】
【００２１】
本発明は、表面シートに与えられた液が、液透過孔を通過して吸収体に速やかに吸収されるようになり、表面シートに液残りが生じくくなる。
【発明を実施するための最良の形態】
【００２２】
図１は本発明の１実施の形態のペット用排泄物吸収シート１を表面から示す平面図、図２は図１のＩＩ−ＩＩ線の断面を示す半断面図である。図３（Ａ）（Ｂ）と図４（Ａ）（Ｂ）は、ホットメルト型接着剤の塗工パターンを実施の形態別に示す平面図、図５（Ａ）（Ｂ）と図６（Ａ）（Ｂ）は、表面シートの液透過孔とホットメルト型接着剤の塗布パターンとの位置関係を模式的に示す説明図である。
【００２３】
図１に示すペット用排泄物吸収シート１は、一対の長辺１ａと一対の短辺１ｂを有する長方形状であり、Ｘ方向に延びる長辺１ａの長さが３００〜１２００ｍｍ程度、Ｙ方向に延びる短辺１ｂの長さが２００〜９００ｍｍ程度の広い面積を有するものである。前記寸法は対応するペットの種類によって変化するものであり、前記寸法に限定されるものではない。
【００２４】
ペット用排泄物吸収シート１は、中央部分が吸収領域２であり、この吸収領域２も、一対の長辺２ａと一対の短辺２ｂを有する長方形状である。長辺１ａと長辺２ａとの間、および短辺１ｂと短辺２ｂとの間は、非吸収領域であり、その幅寸法は１０〜５０ｍｍ程度である。
【００２５】
図２の断面図では、各要素を実際の製品よりも厚いものとして図示している。本明細書では、各要素のうちの受液側を表面とし、床面などに設置される側を裏面として説明する。
【００２６】
図２の断面図に示すように、ペット用排泄物吸収シート１は、液不透過性の裏面シート１１と、その上に配置された吸収体１２と、吸収体１２の表面を覆う液透過性の表面シート１３とを有している。吸収体１２が存在している領域が前記吸収領域２である。長辺１ａと長辺２ａとの間、および短辺１ｂと短辺２ｂとの間には吸収体１２が介在しておらず、裏面シート１１と表面シート１３とが直接接着されている。なお、長辺１ａと長辺２ａとの間、および短辺１ｂと短辺２ｂとの間に、親水紙などの薄い吸収シートを介在させて液吸収機能を発揮できるようにしてもよい。
【００２７】
裏面シート１１は、ポリエチレン樹脂などで形成された樹脂フィルムで形成されている。
【００２８】
吸収体１２は、粉砕パルプに高吸水性ポリマー（ＳＡＰ）が混入された吸収材層２１と、この吸収材層２１の表面に分散して配置された高吸水性ポリマー（ＳＡＰ）２２と、吸収材層２１と高吸水性ポリマー２２とを包む親水紙２３，２４とで構成されている。親水紙２３は、吸収体１２の底面および長辺２ａに位置する側面を覆い、親水紙２４が吸収体１２の表面を覆っている。この親水紙２４が本発明での親水シートに相当している。
【００２９】
吸収体１２は、粉砕パルプの目付けが５０〜２００ｇ／ｍ２程度であり、高吸水性ポリマーの分散量が１５〜１００ｇ／ｍ２程度である。親水紙２３，２４は親水性繊維であるパルプで抄紙されたティッシュペーパであり、目付けは１０〜２０ｇ／ｍ２程度である。なお、吸収体１２の表面を覆う親水紙２４は尿などの液を分散できる機能を発揮するものであるが、この親水紙２４の代わりにパルプや再生セルロース繊維などの親水性繊維で形成された薄い不織布を使用することも可能である。
【００３０】
前記親水紙２４は液拡散機能の高いものが使用される。液拡散機能の測定方法は、ホットメルト型接着剤を塗布していない親水紙２４を、内径が１００ｍｍの円筒の開口部に設置し周辺部分を円筒の外周面に輪ゴムで固定するなどとして、この親水紙２４を空間中において平面を維持できるように水平に設置する。円筒の開口部に位置する親水紙２４の中心に対して垂直上方に５０ｍｍ離れた位置から、生理食塩水０．１ｃｃをマイクロピペットで滴下する。滴下後３０秒経過した後の親水紙２４での生理食塩水の拡散幅寸法が３０ｍｍ以上である。
【００３１】
高吸水性ポリマーは、ポリアクリル酸ナトリウムの橋かけ化合物、ポリアクリル酸ナトリウムのデンプン共重合体、ポリアクリロニトリルのセルロース共重合体などが使用される。吸収材層２１の内部に含まれる高吸水性ポリマーおよび吸収材層２１の表面に分散する高吸水性ポリマー２２は上記ポリマーで形成された粒状体である。
【００３２】
表面シート１３はポリエチレン樹脂などで形成された樹脂フィルムであり、図５と図６に拡大して模式的に示すように多数の液透過孔１５が形成されている。樹脂フィルムの坪量は１０〜４０ｇ／ｍ２程度である。液透過孔１５は、この樹脂を加熱して軟化させ、多孔板を介して樹脂を吸引するパーフォレーション法により形成される。図５と図６に示すように、液透過孔１５は円形に開孔している。あるいは開孔形状が長円形や多角形であってもよい。個々の液透過孔１５の開孔径は０．４〜１．２ｍｍであり、１つの液透過孔１５の開孔面積は、０．１２〜１．１３ｍｍ２程度である。樹脂フィルムの開孔面積率は２０〜６０％であり、好ましくは３０〜５０％である。
【００３３】
表面シート１３を構成する樹脂フィルムの表面は親水処理されていることが好ましい。親水処理されていることにより、フィルム表面の表面張力が低下し、表面シート１３に与えられた液が、吸収体１２の親水力によって、液透過孔１５を速やかに通過できるようになる。
【００３４】
吸収体１２の表面を覆う前記親水紙２４のほぼ全域が表面シート１３に接着固定されている。接着剤はホットメルト型であり、コーターによって表面シート１３の裏面の全域に塗工される。あるいは親水紙２４の表面にホットメルト型接着剤が塗工されてもよい。吸収体１２の表面に位置する親水紙２４と表面シート１３とが接着されることにより、表面シート１３と親水紙２４とが密着し、表面シート１３の液透過孔１５内に与えられた尿などの液がその下に位置する親水紙２４で直ちに吸収されて拡散されるようになる。
【００３５】
図３（Ａ）には、ホットメルト型接着剤の塗工パターン３０の一部を拡大して示している。
【００３６】
図３（Ａ）に示すように、塗工パターン３０は、ホットメルト型接着剤を、多数の連続線３１，３２，３３，・・・を描くように塗工したものであり、それぞれの連続線３１，３２，３３，・・・は、１本の線が連続するものである。ペット用排泄物吸収シート１は、Ｘ方向が製造時での製品の流れ方向であり、塗工パターン３０の各連続線３１，３２，３３，・・・はＸ方向へ連続して延びている。各連続線３１，３２，３３，・・・の線の太さは、例えば０．１〜１．２ｍｍである。この線の太さは、図５と図６に示す液透過孔１５の開孔幅よりも細いことが好ましい。
【００３７】
図３（Ａ）に示す塗工パターン３０は、各連続線３１，３２，３３，・・・が曲線を含む線パターンであり、連続線の全ての部分が曲線となるスパイラル線である。また、全ての隣り合う連続線（連続線３１と連続線３２、連続線３２と連続線３３、・・・）どうしでは、曲線が互いに交叉している。したがって、ホットメルト型接着剤が塗工されている領域には、接着剤の曲線で囲まれた部分である液通過部４０が、多数隣接して存在する構造となる。個々の液通過部４０の面積は互いに異なるものであるが、個々の液通過部４０の面積は２〜１００ｍｍ２の範囲である。また、好ましくは、個々の液透過部４０の面積は、液透過孔１５の開孔面積よりも大きい。
【００３８】
個々の液通過部４０のうちの最も小さいものの面積が２ｍｍ２以上であり、あるいは、液通過部４０の面積の平均値が２ｍｍ２以上であり、好ましくは、個々の液透過部４０の面積が、液透過孔１５の開孔面積よりも大きいと、表面シート１３に形成されている全ての液透過孔１５の下にホットメルト型接着剤の連続線が存在する状態になりにくく、下に連続線が位置していない液透過孔１５を存在させやすくなる。また、ホットメルト型接着剤の連続線はそのほとんどの部分が曲線であるため、液透過孔１５の下を連続線が通過したとしても、この連続線がその液透過孔１５の開孔領域の一部のみを通過するようになり、液透過孔１５が連続線で完全に塞がれる確率を低くできる。そのため、表面シート１３から吸収体１２に向けてスムースに移行しにくくなる。
【００３９】
このように、本発明では、ホットメルト型接着剤の曲線で囲まれている液通過部４０の面積の最小値が、液透過孔１５の開孔面積よりも大きいか、あるいは前記液通過部４０面積の平均値が、液透過孔１５の開孔面積の平均値よりも大きいことが好ましい。
【００４０】
また液通過部４０の面積が１００ｍｍ２を超えると、親水紙２４と表面シート１３との密着性が低下し、吸収体１２と表面シート１３との間に隙間ができやすくなる。その結果、表面シート１３の表面に与えられた尿などの液を吸収体１２に引き込む能力が低下する。
【００４１】
図３（Ｂ）に示す塗工パターン３０Ａでは、スパイラル状に描かれた連続線３１，３２，３３，・・・がＹ方向に隙間４１を有して形成されている。この場合には、前記隙間４１のＹ方向の間隔δの最小値が１０ｍｍ以下であることが好ましく、さらに好ましくは５ｍｍ以下である。さらに、隙間４１のＹ方向の間隔δの平均値が１０ｍｍ以下であることが好ましく、さらに好ましくは平均値が５ｍｍ以下である。隙間４１が前記範囲であれば、隙間４１の部分で、表面シート１３と吸収体１２との密着度が低下するのを防止できる。
【００４２】
さらに、前記隙間４１のＹ方向の間隔は、液透過孔１５の開孔幅寸法よりも大きいことが好ましい。このように構成すると、液透過孔１５が連続線で塞がれにくくなる。
【００４３】
なお、図３（Ｂ）に示す塗工パターン３０Ａにおける液通過部４０の面積の好ましい範囲は、図３（Ａ）の塗工パターン３０と同じである。
【００４４】
図４（Ａ）に示すホットメルト型接着剤の塗工パターン３０Ｂは、個々の連続線３３ａ，３２ａ，３３ａ，・・・が、全ての部分が曲線を含む波線である。波線内の個々の波の形状はＹ方向（波の振幅方向）へ向かうにしたがってＸ方向（波の進行方向）の幅寸法が膨らむΩ形状である。図４（Ａ）に示す塗工パターン３０Ｂでは、隣り合う連続線３３ａ，３２ａ，３３ａ，・・・どうしで曲線が交叉しており、ホットメルト型接着剤が塗工されている領域に、連続線で囲まれた多数の液通過部４０ａが形成されている。この液通過部４０ａの面積の好ましい範囲は、図４（Ａ）に示した液通過部４０の面積の好ましい範囲と同じである。
【００４５】
図４（Ｂ）に示すホットメルト型接着剤の塗工パターン３０Ｄでは、波線パターンの線３１ａ，３２ａ，３３ａ，・・・がＹ方向に離れて配置されており、隣り合う波線どうしの曲線が互いに交叉していない。この場合、１つの波線における波の頂部と底部（最大振幅部）のそれぞれにおいて、頂部または底部のＹ座標での位置のばらつきの平均値を通り且つＸ方向に延びる線を平均接線Ｘ１および平均接線Ｘ２として定義できる。波線と平均接線Ｘ１とで囲まれる領域が液通過部４０ｂであり、波線と平均接線Ｘ２とで囲まれる領域が液通過部４０ｃである。この液通過部４０ａと液通過部４０ｃの面積の好ましい範囲は、図４（Ａ）に示した液通過部４０の面積の好ましい範囲と同じである。
【００４６】
また、隣り合う連続線（３１ａと３２ａ、３２と３３ａ、・・・）における前記平均接線Ｘ１とＸ２との間に、塗工パターンの線が実質的に存在していない隙間４１ａが形成されている。この隙間のＹ方向の間隔δ、すなわち平均接線Ｘ２と平均接線Ｘ１とのＹ方向の間隔δの好ましい範囲は、図３（Ｂ）に示すスパイラル線の隙間４１の間隔δと同じである。
【００４７】
図５（Ａ）は、表面シート１３の液透過孔１５と、スパイラル状の塗工パターン３０との位置関係の一例を示す拡大説明図である。
【００４８】
隣り合う液透過孔１５のＸ方向のピッチをＰｘ、Ｙ方向のピッチをＰｙで示している。また、隣り合う連続線３２と連続線３３のＹ方向のピッチをＬｙ１で示し、それぞれの連続線においてＸ方向に隣接する液通過部４０のピッチをＬｘ１で示している。この場合、ピッチＬｘ１とＰｘとが一致せず、Ｌｘ１がＰｘよりも大きく、またピッチＬｙ１とＰｙとが一致せず、Ｌｙ１がＰｙよりも大きいと、連続線が液透過孔１５内を通過する確率を低くできる。
【００４９】
図５（Ｂ）は、表面シート１３の液透過孔１５と、スパイラル状の塗工パターン３０Ａとの位置関係を示す拡大説明図である。
【００５０】
隣り合う連続線３２と連続線３３のＹ方向のピッチをＬｙ２で示し、それぞれの連続線においてＸ方向に隣接する液通過部４０のピッチをＬｘ２で示している。この場合、ピッチＬｘ２とＰｘとが一致せず、Ｌｘ２がＰｘよりも大きく、またピッチＬｙ２とＰｙとが一致せず、Ｌｙ２がＰｙよりも大きい。さらに、連続線３２と連続線３３とが交叉しておらず、両連続線の間に隙間４１が形成されている。この場合には、連続線が液透過孔１５内を通過する確率をさらに低くできる。
【００５１】
図６（Ａ）は、表面シート１３の液透過孔１５と、波線の塗工パターン３０Ｂとの位置関係の一例を示す拡大説明図である。
【００５２】
隣り合う連続線３２ａと連続線３３ａのＹ方向のピッチをＬｙ３で示し、それぞれの連続線においてＸ方向に隣接する液通過部４０ａと４０ｂのピッチをＬｘ３で示している。この場合、ピッチＬｘ３とＰｘとが一致せず、Ｌｘ３がＰｘよりも大きく、またピッチＬｙ３とＰｙとが一致せず、Ｌｙ３がＰｙよりも大きいと、連続線が液透過孔１５内を通過する確率を低くできる。
【００５３】
図６（Ｂ）は、表面シート１３の液透過孔１５と、波線の塗工パターン３０Ｄとの位置関係を示す拡大説明図である。
【００５４】
隣り合う連続線３２と連続線３２ａと３３ａのＹ方向のピッチをＬｙ４で示し、それぞれの連続線においてＸ方向に隣接する液通過部４０ａと４０ｂのピッチをＬｘ４で示している。この場合、ピッチＬｘ４とＰｘとが一致せず、Ｌｘ４がＰｘよりも大きく、またピッチＬｙ４とＰｙとが一致せず、Ｌｙ４がＰｙよりも大きい。さらに、連続線３２ａと連続線３３ａとが交叉しておらず、両連続線の間に隙間４１ａが形成されている。この場合には、連続線が液透過孔１５内を通過する確率をさらに低くできる。
【００５５】
上記構造のペット用排泄物吸収シート１は、裏面シート１１が床面に敷設され、または凹形状の容器型のペット用トイレットの底面に敷設される。猫や犬などのペットは、表面シート１３上に乗って尿などを排泄する。尿は、表面シート１３に与えられるが、表面シート１３の下面に吸収体１２の親水紙２４が密着しているため、表面シート１３の液透過孔１５内に移行した尿は直ちにその下に位置する親水紙２４により吸収される。
【００５６】
表面シート１３と親水紙２４とを接着するホットメルト型接着剤の塗工パターンが、前記３０，３０Ａ，３０Ｂ，３０Ｄのいずれかであると、表面シート１３と親水紙２４との密着性を維持でき、しかもホットメルト型接着剤が尿の通過を極端に妨げることがない。よって、尿は親水紙２４に吸収され親水紙内において周囲に拡散し、さらにその下に位置する高吸水性ポリマー２２で吸収される。さらに親水紙２４を通過した液が吸収材層２１によって吸収される。
【００５７】
表面シート１３が樹脂フィルムであり、樹脂フィルムの表面に与えられた尿が、液透過孔１５を通過して、速やかに吸収体１２に移行できるため、表面シート１３の表面に尿などの液が残りにくい。
【００５８】
なお、上記実施の形態での吸収体１２は、高吸水性ポリマーを含む粉砕パルプの積層体が親水紙２３，２４で包まれたものであるが、他の実施の形態の吸収体１２として、パルプを積層し且つバインダーを含ませて加圧し、パルプどうしを接着させたいわゆるエアーレイドパルプなどで形成されてもよい。この場合、エアーレイドパルプと表面シート１３とが、前記塗工パターンのホットメルト型接着剤で接着されたものであってもよい。
【図面の簡単な説明】
【００５９】
【図１】本発明のペット用排泄物吸収シートの１実施の形態を示す平面図である。
【図２】図１に示すペット用排泄物吸収シートをＩＩ−ＩＩ線で切断した半断面図である。
【図３】（Ａ）（Ｂ）は、ホットメルト型接着剤の塗工パターンを実施の形態別に示す拡大平面図である。
【図４】（Ａ）（Ｂ）は、ホットメルト型接着剤の塗工パターンを実施の形態別に示す拡大平面図である。
【図５】（Ａ）（Ｂ）は、液透過孔とスパイラル状の塗工パターンとの位置関係の一例を示す拡大説明図である。
【図６】（Ａ）（Ｂ）は、液透過孔とスパイラル状の塗工パターンとの位置関係の一例を示す拡大説明図である。
【符号の説明】
【００６０】
１  ペット用排泄物吸収シート
２  吸収領域
１１  裏面シート
１２  吸収体
１３  表面シート
１５  液透過孔
２１  吸収材層
２２  高吸水性ポリマー
２３，２４  親水紙
３０，３０Ａ，３０Ｂ，３０Ｄ  ホットメルト型接着剤の塗工パターン
３１，３２，３３  連続線（スパイラル線）
３１ａ，３２ａ，３３ａ  連続線（波線）
４０，４０ａ，４０ｂ，４０ｃ  液通過部
４１，４１ａ  隙間
【図１】
2006238744.tif 000003
【図２】
2006238744.tif 000004
【図３】
2006238744.tif 000005
【図４】
2006238744.tif 000006
【図５】
2006238744.tif 000007
【図６】
2006238744.tif 000008